(57)【要約】      （修正有）【課題】配線変更が不要でかつ正確なパケットの蓄積を容易にするパケット蓄積装置を提供する。【解決手段】パケット蓄積装置が、ＰＣ２２、２４、２６が接続される通信用ポート４ａ〜４ｈと、ＮＡＳ（Ｎｅｔｗｏｒｋ  Ａｔｔａｃｈｅｄ  Ｓｔｏｒａｇｅ）１０が接続されるＮＡＳ用ポート６と、通信用ポート４ａ〜４ｈを通過するパケットのうちで所定の条件に合致するパケットを、ＮＡＳ用ポート６を介して、ＮＡＳ１０に書き込むパケット書込部８とを備えたネットワーク機器１と、ＮＡＳ１０とを備える。【選択図】図３
0003154929.tif 000002
【実用新案登録請求の範囲】
【請求項１】
通信機器が接続される通信用ポートと、
ＮＡＳ(Network Attached Storage)が接続されるＮＡＳ用ポートと、
前記通信用ポートを通過するパケットのうちで所定の条件に合致するパケットを、前記ＮＡＳ用ポートを介して、前記ＮＡＳに書き込むパケット書込部と、
を備えたネットワーク機器。
【請求項２】
請求項１に記載のネットワーク機器と、
前記ＮＡＳと、
を備えたパケット蓄積装置。
【請求項３】
通信機器が接続される通信用ポートと、
記録媒体を搭載したパーソナルコンピュータが接続されるＰＣ用ポートと、
前記通信用ポートを通過するパケットのうちで所定の条件に合致するパケットを、前記ＰＣ用ポートを介して、前記パーソナルコンピュータの前記記録媒体に書き込むパケット書込部と、
を備えたネットワーク機器。
【請求項４】
請求項３に記載のネットワーク機器と、
前記パーソナルコンピュータと、
を備えたパケット蓄積装置。
【考案の詳細な説明】
【技術分野】
【０００１】
本考案は、パケットの蓄積に関する。
【背景技術】
【０００２】
パーソナルコンピュータなどの通信端末の通信障害を解決するために、通信端末から送受信されるパケットを蓄積し（例えば、特許文献１を参照）、解析することが知られている。
【０００３】
なお、パケットの蓄積方法には、（１）解析対象の通信端末自体に蓄積する、（２）syslogサーバへ送信して蓄積させる、（３）通信回線にアナライザを挿入し、アナライザに蓄積させる、ことが考えられる。
【先行技術文献】
【特許文献】
【０００４】
【特許文献１】特開２００１−１０３０９０号公報
【考案の概要】
【考案が解決しようとする課題】
【０００５】
しかしながら、パケットを、（１）解析対象の通信端末自体に蓄積する場合は、パケットの蓄積量が、通信端末の記憶媒体（DRAMなど）の容量などに制限され、充分にパケットを蓄積できないことが多い。このため、通信障害の原因となるパケットの正確な確認が困難となる。
【０００６】
また、パケットを、（２）syslogサーバへ送信して蓄積させる場合は、通信回線が高速な場合、パケットの取得が難しく、取りこぼしが多発する。しかも、syslogサーバへの送信に多用されるUDP(User Datagram Protocol)は信頼性が低い。
【０００７】
さらに、パケットを、（３）通信回線にアナライザを挿入し、アナライザに蓄積させる場合は、通信回線を一度切断し、アナライザを挿入するので、通信サービスへの悪影響が大きい。しかも、アナライザによるパケットの蓄積および解析が終わった後に通信回線の配線を再度行う必要があるのも面倒である。
【０００８】
そこで、本考案は、パケットの蓄積を容易にすることを課題とする。
【課題を解決するための手段】
【０００９】
本考案にかかるネットワーク機器は、通信機器が接続される通信用ポートと、ＮＡＳ(Network Attached Storage)が接続されるＮＡＳ用ポートと、前記通信用ポートを通過するパケットのうちで所定の条件に合致するパケットを、前記ＮＡＳ用ポートを介して、前記ＮＡＳに書き込むパケット書込部とを備えるように構成される。
【００１０】
上記のように構成されたネットワーク機器によれば、通信用ポートには、通信機器が接続される。ＮＡＳ用ポートには、ＮＡＳ(Network Attached Storage)が接続される。パケット書込部が、前記通信用ポートを通過するパケットのうちで所定の条件に合致するパケットを、前記ＮＡＳ用ポートを介して、前記ＮＡＳに書き込む。
【００１１】
本考案にかかるパケット蓄積装置は、本考案にかかるネットワーク機器と、前記ＮＡＳとを備えるように構成される。
【００１２】
本考案にかかるネットワーク機器は、通信機器が接続される通信用ポートと、記録媒体を搭載したパーソナルコンピュータが接続されるＰＣ用ポートと、前記通信用ポートを通過するパケットのうちで所定の条件に合致するパケットを、前記ＰＣ用ポートを介して、前記パーソナルコンピュータの前記記録媒体に書き込むパケット書込部とを備えるように構成される。
【００１３】
上記のように構成されたネットワーク機器によれば、通信用ポートには、通信機器が接続される。ＰＣ用ポートには、記録媒体を搭載したパーソナルコンピュータが接続される。パケット書込部が、前記通信用ポートを通過するパケットのうちで所定の条件に合致するパケットを、前記ＰＣ用ポートを介して、前記パーソナルコンピュータの前記記録媒体に書き込む。
【００１４】
本考案にかかるパケット蓄積装置は、本考案にかかるネットワーク機器と、前記パーソナルコンピュータとを備えるように構成される。
【図面の簡単な説明】
【００１５】
【図１】本考案の第一の実施形態にかかるパケット蓄積装置の構成を示す図である。
【図２】ＮＡＳ(Network Attached Storage)１０の構成を示す機能ブロック図である。
【図３】本考案の第一の実施形態の動作を説明するための図である。
【図４】本考案の第二の実施形態にかかるパケット蓄積装置の構成を示す図である。
【考案を実施するための形態】
【００１６】
以下、本考案の実施形態を図面を参照しながら説明する。
【００１７】
第一の実施形態
図１は、本考案の第一の実施形態にかかるパケット蓄積装置の構成を示す図である。第一の実施形態にかかるパケット蓄積装置は、パケット蓄積装置は、ネットワーク機器１と、ＮＡＳ(Network Attached Storage)１０とを備える。ＮＡＳ１０自体は汎用のものである。
【００１８】
ネットワーク機器１は、例えば、ハブ、ルータ、スイッチなどである。ネットワーク機器１は、通信用ポート４ａ、４ｂ、４ｃ、４ｄ、４ｅ、４ｆ、４ｇ、４ｈ、ＮＡＳ用ポート６、パケット書込部８を有する。
【００１９】
８個の通信用ポート４ａ、４ｂ、４ｃ、４ｄ、４ｅ、４ｆ、４ｇ、４ｈには、通信機器が接続される。通信機器は、ネットワーク機器１を介して通信が行える機器であり、例えば、ＰＣ（パーソナルコンピュータ）である。図１においては、通信用ポート４ａにＰＣ２２が接続され、通信用ポート４ｅにＰＣ２４が接続され、通信用ポート４ｇにＰＣ２６が接続されている。
【００２０】
ＮＡＳ用ポート６には、ＮＡＳ(Network Attached Storage)が接続される。なお、ＮＡＳ用ポート６のインタフェースタイプは、例えば、SPF、EJ45、USBなどである。
【００２１】
パケット書込部８は、通信用ポート４ａ、４ｂ、４ｃ、４ｄ、４ｅ、４ｆ、４ｇ、４ｈのいずれかを通過するパケットのうちで所定の条件に合致するパケットを、ＮＡＳ用ポート６を介して、ＮＡＳ１０に書き込む。なお、「所定の条件」は、パケット蓄積装置の利用者が任意に設定することができる。
【００２２】
なお、パケット書込部８がパケットをＮＡＳ１０に書き込む際には、例えばSMB(Server Message Block)などの汎用のプロトコルを使用する。
【００２３】
図２は、ＮＡＳ(Network Attached Storage)１０の構成を示す機能ブロック図である。ＮＡＳ１０は、データ書込部１２、データ読出部１４、ハードディスク１６を有する。
【００２４】
データ書込部１２は、ＮＡＳ用ポート６から送られてきたデータを、ハードディスク１６に書き込む。データ読出部１４は、ハードディスク１６から読み出して、ＮＡＳ用ポート６に送る。ハードディスク１６は、記録媒体である。なお、ハードディスク１６にかえて、大容量のデータを記録できる記録媒体をＮＡＳ１０が備えるようにしてもよい。
【００２５】
次に、本考案の第一の実施形態の動作を説明する。
【００２６】
図３は、本考案の第一の実施形態の動作を説明するための図である。なお、パケット書込部８における「所定の条件に合致するパケット」は、ＰＣ２２からＰＣ２４へ、ネットワーク機器１を介して送信されるパケット（以下、「合致パケット」という）であると、利用者が設定しているものとする。
【００２７】
まず、（１）ＰＣ２２からＰＣ２４へ、パケットが、ネットワーク機器１を介して送信される。この合致パケットは、通信用ポート４ａ、４ｅを通過する。すると、（２）パケット書込部８が、合致パケットを取得する。さらに、（３）パケット書込部８が、ＮＡＳ用ポート６を介して、合致パケットをＮＡＳ１０に書き込む。
【００２８】
ＮＡＳ１０のデータ書込部１２は、ＮＡＳ用ポート６を介して、パケット書込部８から合致パケットを受けて、ハードディスク１６に書き込む。よって、ＮＡＳ１０のハードディスク１６には、データ書込部１２により、ＰＣ２２からＰＣ２４へネットワーク機器１を介して送信される合致パケットが書き込まれる。なお、ＮＡＳ１０への合致パケットの書込みのフォーマットは、任意である。
【００２９】
さらに、ＰＣ２６にて合致パケットを参照する場合は、ＮＡＳ１０にその旨を示す信号を送る。すると、（４）ＮＡＳ１０のデータ読出部１４がハードディスク１６から合致パケットを読み出し、ＮＡＳ用ポート６および通信用ポート４ｇを介して、ＰＣ２６に送る。これにより、ＰＣ２６にて合致パケットを参照することができる。なお、ＰＣ２６は、汎用のパケットアナライザでもよい。
【００３０】
なお、ネットワーク機器１を操作することにより、パケット書込部８における「所定の条件」の設定、パケット書込部８の停止または起動が可能である。
【００３１】
本考案の第一の実施形態によれば、ＮＡＳ１０がネットワーク機器１に常時接続されている。このため、パケットの蓄積が必要になったときに、ＮＡＳ１０にパケットを蓄積させることが可能となる。
【００３２】
しかも、パケット書込部８に「所定の条件」を設定することで、任意のパケットをＮＡＳ１０に蓄積させることができる。
【００３３】
さらに、ＮＡＳ１０のハードディスク１６は容量が大きいため、長い時間、パケットを蓄積させることが可能となる。
【００３４】
また、ＰＣ２２などをネットワークから切断してアナライザを接続するわけではないので、ネットワークの運用に悪影響を与えない。
【００３５】
しかも、パケット書込部８に設定する「所定の条件」は可変（動的）であり、固定（静的）されたものとする必要が無く、便利である。
【００３６】
さらに、ＰＣ２６をＮＡＳ１０に接続して、パケットを参照および解析することができる。
【００３７】
また、ＮＡＳ１０をネットワーク機器１に接続し、取り外す場合、さらには、ＮＡＳ１０にパケットを書込みまたは読み出す際に、既存のネットワーク構成、結線および配線の変更が不要である。
【００３８】
第二の実施形態
本考案の第二の実施形態にかかるパケット蓄積装置は、第一の実施形態におけるＮＡＳ１０を、ＰＣ（パケット蓄積用）３０に置き換えたものである。
【００３９】
図４は、本考案の第二の実施形態にかかるパケット蓄積装置の構成を示す図である。第二の実施形態にかかるパケット蓄積装置は、ネットワーク機器１と、ＰＣ（パケット蓄積用）３０とを備える。ＰＣ３０自体は汎用のパーソナルコンピュータである。ただし、ＰＣ３０は、パケットを蓄積するために大容量の記録媒体（例えば、ハードディスク）を搭載することが好ましい。以下、第一の実施形態と同様な部分は、同一な番号を付して説明を省略する。
【００４０】
ネットワーク機器１は、例えば、ハブ、ルータ、スイッチなどである。ネットワーク機器１は、通信用ポート４ａ、４ｂ、４ｃ、４ｄ、４ｅ、４ｆ、４ｇ、４ｈ、ＰＣ用ポート７、パケット書込部８を有する。
【００４１】
通信用ポート４ａ、４ｂ、４ｃ、４ｄ、４ｅ、４ｆ、４ｇ、４ｈは、第一の実施形態と同様であり説明を省略する。ＰＣ２２、ＰＣ２４およびＰＣ２６の接続関係も第一の実施形態と同じものとする。
【００４２】
ＰＣ用ポート７には、ＰＣ（パケット蓄積用）３０が接続される。
【００４３】
パケット書込部８は、通信用ポート４ａ、４ｂ、４ｃ、４ｄ、４ｅ、４ｆ、４ｇ、４ｈのいずれかを通過するパケットのうちで所定の条件に合致するパケットを、ＰＣ用ポート７を介して、ＰＣ（パケット蓄積用）３０の記録媒体に書き込む。なお、「所定の条件」は、パケット蓄積装置の利用者が任意に設定することができることは、第一の実施形態と同様である。
【００４４】
本考案の第二の実施形態の動作は、第一の実施形態の動作とほぼ同様である。ただし、（３）パケット書込部８が、ＰＣ用ポート７を介して、合致パケットをＰＣ（パケット蓄積用）３０の記録媒体に書き込む。さらに、（４）ＰＣ（パケット蓄積用）３０が合致パケットを、ＰＣ用ポート７および通信用ポート４ｇを介して、ＰＣ２６に送る。
【００４５】
本考案の第二の実施形態によれば、第一の実施形態と同様の効果を奏する。
【符号の説明】
【００４６】
１  ネットワーク機器
４ａ、４ｂ、４ｃ、４ｄ、４ｅ、４ｆ、４ｇ、４ｈ  通信用ポート
６  ＮＡＳ用ポート
７  ＰＣ用ポート
８  パケット書込部
１０  ＮＡＳ
３０  ＰＣ（パケット蓄積用）
【図１】
0003154929.tif 000003
【図２】
0003154929.tif 000004
【図３】
0003154929.tif 000005
【図４】
0003154929.tif 000006